(57)【要約】  システムは、メモリ（１）と、ＲＦＩＤタグ（２）と、メモリ（１）により格納されている情報を読み出すよう構成されているメモリ読み出しユニット（３）と、ＲＦＩＤタグ（２）により格納されている情報を読み出すよう構成されているＲＦＩＤ読み出しユニット（４）と、ＲＦＩＤ読み出しユニット（４）によりＲＦＩＤタグ（２）から読み出された情報に従って、メモリ読み出しユニット（３）によりメモリ（１）から読み出された情報を暗号解読するよう構成されている暗号解読ユニット（６００，６０１）とから成る。
2008507040.tif 000002
【特許請求の範囲】
【請求項１】
メモリと、
ＲＦＩＤタグと、
前記メモリにより格納されている情報を読み出すよう構成されている
メモリ読み出しユニットと、
前記ＲＦＩＤタグにより格納されている情報を読み出すよう構成されているＲＦＩＤ読み出しユニットと、
前記ＲＦＩＤ読み出しユニットにより前記ＲＦＩＤタグから読み出された情報に従って、前記メモリ読み出しユニットにより前記メモリから読み出された情報を暗号解読するよう構成されている暗号解読ユニットと
を備えるシステム。
【請求項２】
前記ＲＦＩＤタグが、前記メモリに取り付けられている請求項１記載のシステム。
【請求項３】
前記メモリが、ＣＤ、ＤＶＤ、フラッシュ・メモリ、メモリ・スティック、光ディスク及びハード・ドライブから成るグループから選択される請求項１記載のシステム。
【請求項４】
前記メモリ読み出しユニットが、前記メモリにより格納されている情報を光学的に読み出す請求項１記載のシステム。
【請求項５】
前記メモリが、光記憶媒体であり、
前記メモリ読み出しユニットが、光ディスク・ドライブである
請求項１記載のシステム。
【請求項６】
前記ＲＦＩＤ読み出しユニットが、前記光ディスク・ドライブである請求項５記載のシステム。
【請求項７】
前記ＲＦＩＤ読み出しユニットが、前記光ディスク・ドライブに取り付けられている請求項５記載のシステム。
【請求項８】
情報を格納のため前記メモリに書き込むメモリ書き込みユニットを更に備える請求項１記載のシステム。
【請求項９】
メモリにより格納されている情報を読み出すよう構成されているメモリ読み出しユニットと、
ＲＦＩＤタグにより格納されている情報を読み出すよう構成されているＲＦＩＤ読み出しユニットと、
前記ＲＦＩＤ読み出しユニットにより前記ＲＦＩＤタグから読み出された情報に従って、前記メモリ読み出しユニットにより前記メモリから読み出された情報を暗号解読するよう構成されている暗号解読ユニットと
を備える装置。
【請求項１０】
メモリにより格納されている情報を読み出すメモリ読み出し手段と、
ＲＦＩＤタグにより格納されている情報を読み出すＲＦＩＤ読み出し手段と、
前記ＲＦＩＤ読み出し手段により前記ＲＦＩＤタグから読み出された情報に従って、前記メモリ読み出し手段により前記メモリから読み出された情報を暗号解読する暗号解読手段と
を備える装置。
【請求項１１】
情報をメモリから検索するステップと、
情報をＲＦＩＤタグから検索するステップと、
前記ＲＦＩＤタグから検索された情報に従って、前記メモリから検索された情報を暗号解読するステップと
を備える方法。
【請求項１２】
前記ＲＦＩＤタグから検索された情報が、前記暗号解読するため用いられる鍵を備える請求項１１記載の方法。
【請求項１３】
メモリと、
前記メモリに取り付けられたＲＦＩＤタグと、
暗号化された情報が後に暗号解読されることができるように情報を暗号化するよう構成されている暗号化ユニットであって、前記暗号化が、前記ＲＦＩＤタグから得られた情報に従って実行される、前記暗号化ユニットと、
情報を格納のため前記メモリに書き込むよう構成されている書き込みユニットと、を備え、
前記暗号化ユニットからの暗号化された情報が、格納のため前記書き込みユニットにより前記メモリに書き込まれる、システム。
【請求項１４】
前記メモリが、ＣＤ、ＤＶＤ、フラッシュ・メモリ、メモリ・スティック、光ディスク及びハード・ドライブから成るグループから選択される請求項１３記載のシステム。
【請求項１５】
前記書き込みユニットが、光ディスク・ドライブの一部であり、
前記書き込みユニットが、情報を格納のため前記メモリに光学的に書き込む
請求項１３記載のシステム。
【請求項１６】
前記メモリが、光ディスクである請求項１３記載のシステム。
【請求項１７】
前記ＲＦＩＤタグが、前記光ディスクに印刷されているアンテナを備える請求項１６記載のシステム。
【請求項１８】
暗号化された情報が暗号解読されることができるように情報を暗号化する暗号化手段であって、前記暗号化が、メモリに取り付けられたＲＦＩＤタグから検索された情報に従って実行される、前記暗号化手段と、
暗号化された情報を格納のため前記メモリに書き込む書き込み手段と
を備える装置。
【請求項１９】
第１の情報を格納のためＲＦＩＤタグに書き込むステップであって、前記ＲＦＩＤタグがメモリと関連付けられている、前記書き込むステップと、
暗号化された第２の情報が後に暗号解読されることができるように第２の情報を暗号化するステップであって、前記暗号化が前記第１の情報に従って実行される、前記暗号化するステップと、
前記の暗号化された第２の情報を格納のため前記メモリに書き込むステップと
を備える方法。
【請求項２０】
テレビジョンと使用の装置であって、
（ａ）光ディスクから読み出すことと、（ｂ）光ディスクから読み出しまたそれへ書き込むこととのうちの１つを実行するよう構成されている光ディスク・ドライブと、
前記光ディスクと関連したＲＦＩＤタグから情報を取得するよう構成されているＲＦＩＤ質問器と、
前記ＲＦＩＤ質問器により前記ＲＦＩＤタグから取得された情報に従って、前記光ディスク・ドライブにより前記光ディスクから読み出された情報を暗号解読するよう構成されている暗号解読ユニットと、
前記暗号解読ユニットからの前記の暗号解読された情報に従って、テレビジョン用信号を出力するよう構成されている出力ユニットと
を備える装置。
【請求項２１】
前記装置が、ＤＶＤプレーヤである請求項２０記載の装置。
【請求項２２】
前記ＲＦＩＤタグが、前記光ディスクに取り付けられている請求項２０記載の装置。
【発明の詳細な説明】
【技術分野】
【０００１】
［発明の分野］
本発明は、無線周波数識別（ＲＦＩＤ）タグを有するメモリと、当該メモリと使用の暗号解読技術と、当該メモリと使用のメモリ・リーダー及び／又はライターに関する。
【０００２】
［発明の背景］
ＲＦＩＤは、ＲＦＩＤリーダー（これはまた、ＲＦＩＤ質問器（ＲＦＩＤ  ｉｎｔｅｒｒｏｇａｔｏｒ）又はＲＦＩＤスキャナー又はＲＦＩＤ検出デバイスとして知られている。）がＲＦＩＤタグに格納されている情報を取得する技術である。ＲＦＩＤタグは、一般的に、アンテナ及びＲＦＩＤチップを含む。典型的には、ＲＦＩＤリーダーは、無線周波数信号を発する。ＲＦＩＤタグは、その信号を受信する。パッシブ・タグ（受動型タグ）として知られているＲＦＩＤタグの１つのタイプは、信号を、ＲＦＩＤタグを給電するためのエネルギ源として用いる。アクティブ・タグ（能動型タグ）として知られている別のタイプのＲＦＩＤタグは、それ自身のエネルギ源を含む。いずれの場合も、ＲＦＩＤチップ、典型的には、メモリを含む回路は、或る応答で信号を変調し、その応答は、ＲＦＩＤリーダーにより検出される。典型的には、ＲＦＩＤチップは、この技術を用いて、上記応答としてメモリに格納された識別コードをＲＦＩＤリーダーへ送り、その識別コードを、例えば、在庫管理の目的のため用いることができる。
【０００３】
幾つかの文献が、コンピュータ又は記憶媒体分野でＲＦＩＤの使用を説明している。例えば、米国特許Ｎｏ．５，９４９，３３５（Ｍａｙｎａｒｄ）は、コンピュータ・ネットワーク資産管理のためのＲＦＩＤタグ化システムであって、資産の操作は、当該資産とＲＦＩＤホストとの間の所定の通信シーケンスの完了なしには自動的に禁止されることができるＲＦＩＤタグ化システムを開示する。米国特許Ｎｏ．６，４２４，２６２Ｂ２（Ｇａｒｂｅｒ他）は、品目が例えば磁気又は光媒体であるＲＦＩＤの使用を開示する。そして、ＰＣＴＷＯＮｏ．０３／０７３２２５Ａ２（Ｋｏｌｌａｒ他）は、例えばＣＤ、ＤＶＤ、メモリ・スティック、コンパクトフラッシュ・カード及びセキュア・デジタル・カード（ＳＤカード）であり得る物品に取り付けられたＲＦＩＤタグを開示する。
【０００４】
［発明の概要］
前述したことに鑑みて、一局面において、本発明は、ＲＦＩＤタグ付きの記憶媒体（例えば、ＣＤ、ＤＶＤ、メモリ・スティック、フラッシュ・メモリ等）を提供することに関する。ＲＦＩＤタグは、記憶媒体に取り付けられることができるであろう。例えば、記憶媒体は、ＣＤであることができ、そしてＲＦＩＤタグは、ＲＦＩＤアンテナ及びＲＦＩＤチップを有することができ、そこにおいては、ＲＦＩＤアンテナは、ＣＤに印刷されることができ、次いでＲＦＩＤチップがＲＦＩＤアンテナに取り付けられることができるであろう。ＲＦＩＤタグは、ＲＦＩＤ検出装置と関係して、在庫管理の目的に用いることができるであろう。また、メモリ・リーダー（例えば、ＣＤドライブ、ＤＶＤドライブ、メモリ・スティック・リーダー、フラッシュ・メモリ・リーダー、等々）がＲＦＩＤ検出装置に装備されることができるであろう。従って、メモリ・リーダーは、ＲＦＩＤ検出に従って、記憶媒体を読み取るべきか否かを決定することができるであろう。そして、オプションとして、メモリ・リーダーは、ＲＦＩＤ検出に従って暗号解読を実行することができるであろう。
【０００５】
別の局面において、本発明は、（ａ）メモリと、（ｂ）ＲＦＩＤタグと、（ｃ）前記メモリにより格納されている情報を読み出すよう構成されているメモリ読み出しユニットと、（ｄ）前記ＲＦＩＤタグにより格納されている情報を読み出すよう構成されているＲＦＩＤ読み出しユニットと、（ｅ）前記ＲＦＩＤ読み出しユニットにより前記ＲＦＩＤタグから読み出された情報に従って、前記メモリ読み出しユニットにより前記メモリから読み出された情報を暗号解読するよう構成されている暗号解読ユニットとを備えるシステムと関連する。
【０００６】
更に別の局面において、本発明は、（ａ）メモリにより格納されている情報を読み出すよう構成されているメモリ読み出しユニットと、（ｂ）ＲＦＩＤタグにより格納されている情報を読み出すよう構成されているＲＦＩＤ読み出しユニットと、（ｃ）前記ＲＦＩＤ読み出しユニットにより前記ＲＦＩＤタグから読み出された情報に従って、前記メモリ読み出しユニットにより前記メモリから読み出された情報を暗号解読するよう構成されている暗号解読ユニットとを備える装置と関連する。
【０００７】
更に別の局面において、本発明は、（ａ）メモリにより格納されている情報を読み出すメモリ読み出し手段と、（ｂ）ＲＦＩＤタグにより格納されている情報を読み出すＲＦＩＤ読み出し手段と、（ｃ）前記ＲＦＩＤ読み出し手段により前記ＲＦＩＤタグから読み出された情報に従って、前記メモリ読み出し手段により前記メモリから読み出された情報を暗号解読する暗号解読手段とを備える装置と関連する。
【０００８】
更に別の局面において、本発明は、（ａ）情報をメモリから検索するステップと、（ｂ）情報をＲＦＩＤタグから検索するステップと、（ｃ）前記ＲＦＩＤタグから検索された情報に従って、前記メモリから検索された情報を暗号解読するステップとを備える方法と関連する。
【０００９】
更に別の局面において、本発明は、（ａ）メモリと、（ｂ）前記メモリに取り付けられたＲＦＩＤタグと、（ｃ）暗号化された情報が後に暗号解読されることができるように情報を暗号化するよう構成されている暗号化ユニットであって、前記暗号化が前記ＲＦＩＤタグから得られた情報に従って実行される、前記暗号化ユニットと、（ｄ）情報を格納のため前記メモリに書き込むよう構成されている書き込みユニットと、を備え、前記暗号化ユニットからの暗号化された情報が、格納のため前記書き込みユニットにより前記メモリに書き込まれる、システムと関連する。
【００１０】
更に別の局面において、本発明は、（ａ）暗号化された情報が暗号解読されることができるように情報を暗号化するよう構成されている暗号化手段であって、前記暗号化が、メモリに取り付けられたＲＦＩＤタグから検索された情報に従って実行される、前記暗号化手段と、（ｂ）暗号化された情報を格納のため前記メモリに書き込む書き込み手段とを備える装置と関連する。
【００１１】
更に別の局面において、本発明は、（ａ）第１の情報を格納のため当該第１の情報をメモリと関連したＲＦＩＤタグに書き込むステップと、（ｂ）暗号化された第２の情報が後に暗号解読されることができるように第２の情報を暗号化するようステップと、（ｃ）第２の情報を格納のため前記メモリに書き込むステップとを備える方法と関連する。
【００１２】
更に別の局面において、本発明は、テレビジョンと使用の装置であって、（ａ）（ｉ）光ディスクから読み出すことと、（ｉｉ）光ディスクから読み出しまたそれへ書き込むこととのうちの１つを実行するよう構成されている光ディスク・ドライブと、（ｂ）前記光ディスクと関連したＲＦＩＤタグから情報を取得するよう構成されているＲＦＩＤ質問器と、（ｃ）前記ＲＦＩＤ質問器により前記ＲＦＩＤタグから取得された情報に従って、前記光ディスク・ドライブにより前記光ディスクから読み出された情報を暗号解読するよう構成されている暗号解読ユニットと、（ｄ）前記暗号解読ユニットからの前記の暗号解読された情報に従って、テレビジョン用信号を出力するよう構成されている出力ユニットとを備える装置と関連する。
【００１３】
本発明のこれら及び他の目的、態様、利点及び特徴は、添付図面と関係した現在の好適な実施形態の以下の詳細な説明から一層明らかになるであろう。
【発明を実施するための最良の形態】
【００１４】
図１は、本発明の一実施形態を示す。その図１において、参照番号１は、メモリ又は記憶媒体を表す。メモリ１は、デジタル情報を格納するタイプのメモリであることができるであろう。メモリ１の例には、ＣＤ、ＤＶＤ、又は他の光媒体、並びにフラッシュ・メモリ、メモリ・スティック及びハード・ドライブが含まれる。
【００１５】
また図１において、参照番号２は、ＲＦＩＤタグを表す。ＲＦＩＤタグ２は、アンテナ及びＲＦＩＤチップを備えることが好ましい。ＲＦＩＤタグ２は、メモリ１に取り付けられていることが好ましい。例えば、ＣＤ又はＤＶＤである場合、ＲＦＩＤタグを当該ＣＤ又はＤＶＤに取り付けるため、アンテナが、ＣＤ又はＤＶＤ上に直接印刷されることができ、次いでＲＦＩＤチップが、当該ＣＤ又はＤＶＤに取り付けられることができるであろう。１つの層がアンテナ及びＲＦＩＤチップを覆うよう置かれ、それにより誰かがＲＦＩＤタグをＣＤ又はＤＶＤから取り外そうとするとき、それは破壊されるであろう。図４は、ＲＦＩＤタグ２がメモリ１に取り付けられ、そしてメモリ１が例えばＣＤ又はＤＶＤのような光媒体であるケースを概略的に示す。図５は、ＲＦＩＤタグ２がメモリ１に取り付けられ、そしてメモリ１がフラッシュ・メモリであるケースを概略的に示す。図６は、ＲＦＩＤタグ２がメモリ１に取り付けられ、そしてメモリ１がハード・ドライブであるケースを概略的に示す。
【００１６】
しかしながら、ＲＦＩＤタグ２がメモリ１に取り付けられるべきであることは要求されることではなく、代替として、ＲＦＩＤタグ２は、図１１に示されるように、メモリ１から分離されていることもできる。
【００１７】
図２は、ＲＦＩＤタグ２をより詳細に示す。その図２において、参照番号２０は、ＲＦＩＤタグ２のアンテナを表し、一方参照番号２１は、ＲＦＩＤタグ２のＲＦＩＤチップを表す。
【００１８】
図３は、ＲＦＩＤチップ２１をより詳細に示す。その図３において、参照番号２２は、ＲＦＩＤチップ２１のメモリを表す。情報は、このメモリ２２に格納され、そして、例えば、暗号化又は暗号解読コード又は鍵を含むことができる。図３は、メモリ２２が、例えば、メモリ１に格納されている情報のような情報を暗号解読するのに使用の鍵２３を格納する。そのような鍵は、例えば、３２ビット又は１２８ビットの長さであり得る。また、メモリ２２に格納されている情報を用いて、記憶媒体に格納されるべき情報のような情報を暗号化することができるであろう。
【００１９】
図１に戻ると、参照番号３は、メモリ１のコンテンツを読み取るメモリ・リーダーを表す。例えば、メモリ１がフラッシュ・メモリである場合、メモリ・リーダー３は、ＣＤ又はＤＶＤドライブであることができるであろう。勿論、メモリ・リーダー３は、Ｒ／ＷＣＤドライブ又はＲ／Ｗ ＣＤドライブのメモリ読み取り部分であることができるであろう。参照番号４は、ＲＦＩＤタグ２を読み取るＲＦＩＤリーダーを表す。ＲＦＩＤリーダー４は、業界標準ＲＦＩＤリーダー、例えば、ＲＦＩＤタグに問い合わせるための公に文書化されたプロトコルを用いたＲＦＩＤリーダーであり得る。代替として、ＲＦＩＤリーダー４は、非標準のプロプラエタリ・プロトコルを採用し得る。この後者のアプローチは、標準のＲＦＩＤリーダーを持つ人々が情報をＲＦＩＤタグ２から取得するのを防止するであろう。
【００２０】
参照番号５は、メモリ・リーダー３及びＲＦＩＤリーダー４のオプションの組み合わせを１つのデバイスの中に入れたもの、即ち、メモリ／ＲＦＩＤリーダーを表す。そのようなケースにおいては、メモリ・リーダー３及びＲＦＩＤリーダー４は、互いにくっつけられ、又は一体化していることができるであろう。例えば、メモリ・リーダー３が光ディスク・ドライブである場合、ＲＦＩＤリーダー４は、その光ディスク・ドライブに取り付けられ、又はその光ディスク・ドライブの一部であることができるであろう。そのようなケースが、図４に示されている。代替として、メモリ・リーダー３とＲＦＩＤリーダー４とが、別々であることも可能である。例えば、ＲＦＩＤリーダー４は、メモリ・リーダー３の隣に配設されることもできるであろう。
【００２１】
図７は、コンピュータと組み合わされた図１の実施形態の配置を概略的に示す。参照番号４００は、コンピュータを表す。そのようなコンピュータの例には、パーソナル・コンピュータ又はパーソナル・コンピューティング・デバイスが含まれる。参照番号６００は、コンピュータ４００と使用の又はコンピュータ４００内の暗号解読ユニット又は暗号解読ソフトウエアを表す。動作において、ＲＦＩＤリーダー４は、ＲＦＩＤを用いて、ＲＦＩＤタグ２のメモリ２２に格納されている情報、例えば、鍵２３を取得する。メモリ・リーダー３は、読み取り動作を実行して、メモリ１に格納されている情報を取得する。ＲＦＩＤタグ２のメモリ２２から検索された情報（例えば、鍵２３）、及びメモリ１から検索された情報は、コンピュータ４００にインターフェース４１０を介して転送される。次いで、暗号解読ユニット６００は、ＲＦＩＤタグ２のメモリ２２に格納されている情報（例えば、鍵２３）であってＲＦＩＤリーダー４により取得された当該情報に従って、メモリ１に格納されている情報であってメモリ・リーダー３により取得された当該情報を暗号解読する。
【００２２】
図８は、代替実施形態を示し、それは、図７とは、暗号解読がコンピュータに到達する前に実行される点で異なる。ここで、参照番号６０１は、ＲＦＩＤリーダー４によりＲＦＩＤタグ２のメモリ２２から取得された情報に従って、メモリ・リーダー３によりメモリ１から取得された情報を暗号解読する暗号解読ユニットを表す。オプションとして、メモリ・リーダー３、ＲＦＩＤリーダー４及び暗号解読ユニット６０１は、出力をコンピュータ４０１に出力する一体化ユニット５の中にあってもよい。
【００２３】
勿論、本発明は、コンピュータを用いることに限定されるものではない。図９は、代替実施形態を示し、その代替実施形態においては、参照番号５は、ＤＶＤプレーヤのような一体化ユニット５であり、その一体化ユニット５は、メモリ・リーダー３のようなＤＶＤドライブ、当該メモリ・リーダー３に取り付けられたＲＦＩＤリーダー４、及び暗号解読ユニット６０１を備える。ＤＶＤプレーヤの出力は、見るためのテレビジョン４０２に供給される。この実施形態と使用のメモリ１は、例えば、ＤＶＤディスクである。そのＤＶＤディスクが暗号化された情報を含む場合、この実施形態は、有効で並びに使い易いコピー防御スキームを提供し、ＲＦＩＤリーダー４は、ＤＶＤディスクに取り付けられている又はそれと関連している情報をＲＦＩＤタグ２から取得し、ＤＶＤドライブ（メモリ・リーダー３）は、そのＤＶＤディスクを読み取り、次いで、暗号解読ユニット６０１は、ＲＦＩＤタグ２からの情報に従ってＤＶＤディスクを暗号解読する。適正なＲＦＩＤタグが存在しない場合、ＤＶＤドライブは、暗号解読をすることができないで、従ってテレビジョンに表示するためのＤＶＤディスクの再生をすることができないであろう。
【００２４】
図１０は、本発明に使用のメモリ／ＲＦＩＤタグを作成するシステムを概略的に示す。その図１０において、参照番号７は、メモリ・ライターを表す。例えば、メモリ・ライター７は、ＣＤ又はＤＶＤを生成する装置であることができ、又はオプションとして、メモリ・ライター７は、Ｒ／Ｗ光学的ドライブのようなメモリＲ／Ｗデバイスの一部（例えば、ＣＤ−Ｒ／Ｗ又はＤＶＤ−Ｒ／Ｗ）であることができるであろう。参照番号８は、この光メモリＲ／Ｗデバイスを概略的に表し、その光メモリＲ／Ｗデバイスは、メモリ・ライター７に加えてメモリ・リーダーを含む。メモリ・ライター７は、メモリ１による格納のため情報を書き込む。前述したように、情報は、暗号化され、そしてＲＦＩＤタグ２は、暗号化された情報を暗号解読するため用いられる情報（例えば、鍵）を含むことが好ましい。ＲＦＩＤライター１４は、前述した鍵のような情報をＲＦＩＤタグ２のメモリに書き込む。
【００２５】
本発明の他の改良が可能である。例えば、ＲＦＩＤタグに書き込むことができるので、インデクシング・システム（ｉｎｄｅｘｉｎｇ  ｓｙｓｔｅｍ）であって、光ディスク又はメモリ・デバイスのような記憶媒体への指定された回数のアクセスを可能にし、そのアクセス後に、ＲＦＩＤタグに格納された暗号化情報を消去して、根本的にその光ディスク又はメモリ・デバイスを使用不能にするインデクシング・システムが可能であろう。例えば、ＤＶＤは、１０回再生されることができ、各回は、ＲＦＩＤチップのメモリに格納されているカウンタをインデクシング（ｉｎｄｅｘｉｎｇ）する。１０回の再生後に、ＲＦＩＤチップの中の暗号化コードは、消去されて、ＤＶＤを使用不能にするであろう。代替として、暗号化コードは、消去される必要がないが、しかしそれに対するアクセスが拒否され、又はアクセスが使用不能にされる。実際には、暗号化コードの一部のみが、消去され、又はスクランブリングされることでよい。図１２は、前述のＲＦＩＤチップを概略的に示し、そこでは、メモリ２２がまた、ＤＶＤが再生される度に１だけオフセットされるカウンタ２４を含む。所定の回数の再生後に、ＲＦＩＤライター１４又は類似のものを用いて、例えば、鍵をＲＦＩＤチップのメモリから消去する。
【００２６】
［産業への適用性］
本発明は、メモリの暗号解読に用いられる情報を含み、従ってコピー防御スキームとして使用できるＲＦＩＤタグ付きのメモリを提供する。
【００２７】
［結び］
本明細書で開示されたこと以外では、概略示され又は図面にブロック形式で示された様々な構成要素は、個々に周知であり、そしてそれらの内部的構成及び動作は、本発明の製作、本発明の使用及び本発明の最良モードの記載のいずれにも重要ではない。
【００２８】
本発明の特定の実施形態が上記で詳細に記載されたが、この記載は、単に、説明の目的のためであることが理解されるであろう。上記で説明された構造に加えて好適な実施形態の開示された局面に対応する構造の様々な変更及び等価な構造は、添付の特許請求の範囲において定義される本発明の趣旨から逸脱することなしに当業者により行われ得て、そして特許請求の範囲は、そのような変更及び等価の構造を含むように、最も広い解釈と一致すべきである。
【図面の簡単な説明】
【００２９】
【図１】図１は、メモリ、ＲＦＩＤタグ、メモリ・リーダー及びＲＦＩＤリーダーを含む本発明の一実施形態を示す概略図である。
【図２】図２は、本発明に使用のＲＦＩＤタグを示す概略図である。
【図３】図３は、本発明に使用のＲＦＩＤチップを示す概略図である。
【図４】図４は、本発明に使用のＲＦＩＤタグ付きの光媒体を、本発明に使用のＲＦＩＤリーダーを有する光ディスク・ドライブと共に示す概略図である。
【図５】図５は、本発明に使用のＲＦＩＤタグ付きのフラッシュ・メモリを示す概略図である。
【図６】図６は、本発明に使用のＲＦＩＤタグ付きのハード・ドライブを示す概略図である。
【図７】図７は、コンピュータに接続されたメモリ／ＲＦＩＤリーダーを含む本発明の一実施形態を示す概略図である。
【図８】図８は、組込型暗号解読を有するメモリ／ＲＦＩＤリーダーを含む本発明の別の実施形態を示す概略図である。
【図９】図９は、メモリ／ＲＦＩＤリーダー及び暗号解読構成要素の両方を含むＤＶＤプレーヤを備える本発明の更に別の実施形態を示す概略図である。
【図１０】図１０は、本発明に従ってメモリに書き込むメモリ・ライターを示す概略図である。
【図１１】図１１は、本発明に使用のメモリ及びＲＦＩＤタグであって、互いに別個であるメモリ及びＲＦＩＤタグを示す概略図である。
【図１２】図１２は、本発明に使用のＲＦＩＤチップであって、メモリがまたカウンタを含むＲＦＩＤチップの概略図である。
【図１】
2008507040.tif 000003
【図２】
2008507040.tif 000004
【図３】
2008507040.tif 000005
【図４】
2008507040.tif 000006
【図５】
2008507040.tif 000007
【図６】
2008507040.tif 000008
【図７】
2008507040.tif 000009
【図８】
2008507040.tif 000010
【図９】
2008507040.tif 000011
【図１０】
2008507040.tif 000012
【図１１】
2008507040.tif 000013
【図１２】
2008507040.tif 000014
【国際調査報告】
2008507040.tif 000015
2008507040.tif 000016
2008507040.tif 000017